(57)【要約】【課題】従来の紙幣取扱装置の利便性を保持したまま、取引中における出金部からの紙幣の取り出しを制限する。【解決手段】顧客と対面して紙幣を入出金する紙幣取扱装置であって、紙幣を入金する入金開口部を有した入金部と、入金部に隣接して配置され、紙幣を出金する出金開口部と、出金開口部を開閉するシャッタとを有した出金部と、リジェクト紙幣を出金開口部に搬送する制御部と、を備える。【選択図】  図４
2019185200.tif 000002
【特許請求の範囲】
【請求項１】
顧客と対面して紙幣を入出金する紙幣取扱装置であって、
前記紙幣を入金する入金開口部を有した入金部と、
前記入金部に隣接して配置され、前記紙幣を出金する出金開口部と、前記出金開口部を開閉するシャッタとを有した出金部と、
リジェクト紙幣を前記出金開口部に搬送する制御部と、
を備えることを特徴とする紙幣取扱装置。
【請求項２】
前記制御部は、入金取引において、前記紙幣の搬送中及び待機中は前記シャッタを閉め、前記リジェクト紙幣が発生したタイミングで前記シャッタを開ける第１の制御を実行する、
ことを特徴とする請求項１に記載の紙幣取扱装置。
【請求項３】
前記制御部は、入金取引において、前記紙幣の搬送中及び待機中は前記シャッタを閉め、前記入金開口部に入金された前記紙幣を分離して搬送する前に前記シャッタを開ける第２の制御を実行する、
ことを特徴とする請求項１に記載の紙幣取扱装置。
【請求項４】
前記制御部は、出金取引において、紙幣収納部から前記紙幣を分離して搬送する前に前記シャッタを閉め、前記紙幣の搬送終了後に前記シャッタを開ける第３の制御を実行する、
ことを特徴とする請求項１に記載の紙幣取扱装置。
【請求項５】
前記制御部は、操作部から、入金取引において、前記紙幣の搬送中及び待機中は前記シャッタを閉め、前記リジェクト紙幣が発生したタイミングで前記シャッタを開ける第１の制御、または入金取引において、前記紙幣の搬送中及び待機中は前記シャッタを閉め、前記入金開口部に入金された前記紙幣を分離して搬送する前に前記シャッタを開ける第２の制御のいずれかの選択を受け付けて、各制御を実行する、
ことを特徴とする請求項１に記載の紙幣取扱装置。
【発明の詳細な説明】
【技術分野】
【０００１】
本発明は、紙幣を搬送する紙幣取扱装置に関する。
【背景技術】
【０００２】
紙幣取扱装置には、紙幣を投入する入金部を備え、さらに出金紙幣の搬送先とリジェクト紙幣の搬送先を兼ねる出金部を有する装置が存在する。この構成の紙幣取扱装置は、入金部及び出金部にシャッタを搭載しないものが稼働している。シャッタが無い紙幣取扱装置では、入金部及び出金部がオープンであり、入金取引でのリジェクト紙幣を、出金部から入金部へ即時再投入できる。また、オープンな入金部には、紙幣の積み増しができ、一度に大量の紙幣の入金が可能である。こうした特徴から、上記の紙幣取扱装置は、銀行の窓口業務における高速入出金機として利用されている。
【先行技術文献】
【特許文献】
【０００３】
【特許文献１】特開２０１６−２９５１８号公報
【発明の概要】
【発明が解決しようとする課題】
【０００４】
前述した紙幣取扱装置を、銀行の窓口業務用としてだけでなく、ＡＴＭのように顧客が直接操作する形で運用したいという要望がある。しかし、顧客が紙幣取扱装置を操作する場合、出金部の紙幣を随時取り出せることが問題となる場合がある。例えば、出金取引中に紙幣取扱装置が異常停止した場合、顧客は出金部に出ている紙幣を取り出して、復旧を待たずに帰ってしまうことが考えられる。
【０００５】
上記問題を解決する手段として、顧客が直接操作するＡＴＭのように、紙幣の入出金部にシャッタを搭載し、シャッタによって入出金部への顧客操作を制限する手段がある。しかし、単純に入金部と出金部にシャッタを搭載するだけでは、前述した一度に大量の紙幣入金可能、入金リジェクト紙幣を即時再投入可能といった利便性が失われる恐れがある。
【０００６】
そこで、本願発明では、従来の紙幣取扱装置の利便性を保持したまま、取引中における出金部からの紙幣の取り出しを制限することが可能な紙幣取扱装置を提供することを目的とする。
【課題を解決するための手段】
【０００７】
本発明にかかる紙幣取扱装置は、顧客と対面して紙幣を入出金する紙幣取扱装置であって、前記紙幣を入金する入金開口部を有した入金部と、前記入金部に隣接して配置され、前記紙幣を出金する出金開口部と、前記出金開口部を開閉するシャッタとを有した出金部と、リジェクト紙幣を前記出金開口部に搬送する制御部と、を備えることを特徴とする紙幣取扱装置として構成される。
【発明の効果】
【０００８】
本発明によれば、従来の紙幣取扱装置の利便性を保持したまま、取引中における出金部からの紙幣の取り出しを制限することができる。
【図面の簡単な説明】
【０００９】
【図１】実施例１の紙幣取扱装置の概略外観を示す斜視図。
【図２】実施例１の紙幣取扱装置を平面視して窓口係員Ｍと顧客Ｋに対する位置関係を概略的に示す説明図。
【図３】実施例１の紙幣取扱装置の上部領域を概略的に示す斜視図。
【図４】実施例１の紙幣取扱装置の内部構成と紙幣搬送経路を概略的に示す断面図。
【図５】実施例１の紙幣取扱装置の制御ブロック図。
【図６】実施例１の紙幣搬送経路の構成のうち出金搬送に関与する経路構成を概略的に説明する説明図。
【図７】実施例１の紙幣搬送経路の構成のうち入金搬送に関与する経路構成を概略的に説明する説明図。
【図８】実施例１の入金取引の制御フロー図。
【図９】実施例２の入金取引の制御フロー図。
【図１０】実施例３の出金取引の制御フロー図。
【発明を実施するための形態】
【実施例１】
【００１０】
全体構成について説明する。図１は本実施形態の紙幣取扱装置１００の外観を示す斜視図であり、図２は紙幣取扱装置１００を平面視して窓口係員Ｍと顧客Ｋに対する位置関係を概略的に示す説明図であり、図３は紙幣取扱装置１００の上部領域を紙幣取扱装置１００の後面側からみた斜視図である。図１に示すように、紙幣取扱装置１００は、その外観上、上下に区別され、下部領域を金庫１１０とし、その金庫１１０が有する筐体部１１２より上の上部領域を入出金機構部１１６とする。筐体部１１２は、金属製鋼板から形成され、図１における紙面手前側に、開閉並びに施錠可能な金属製の金庫扉１１３を備え、この金庫扉１１３と共に金庫１１０を構成する。紙幣取扱装置１００は、金庫扉１１３で閉じられた筐体部１１２に後述の紙幣識別部１７０や紙幣収納部２００などを収容しセキュリティを確保している。
【００１１】
また入出金機構部１１６は、窓口係員により操作される操作部である操作パネル１１８、入金ボタン１１４、出金ボタン１１５を備えるほか、上面に、後述の入金部１２０と出金部１４０を、図１における紙面手前側から紙面奥側、即ち装置前面側から後面側に掛けて、出金部１４０、入金部１２０の順に隣接して備える。また、紙幣取扱装置１００は、図２に示すように、顧客応対テーブルＤにて装置後面側が覆われ、入出金機構部１１６の入金部１２０と出金部１４０とを顧客Ｋに視認可能な構成としている。この顧客Ｋによる視認の様子は、図３に示されており、紙幣取扱装置１００は、顧客Ｋの側から、入金部１２０と出金部１４０をこの順に隣接して、入出金機構部１１６に備える。これにより顧客Ｋが入金部１２０へ紙幣を投入し易い構成となる。また図２に示すように、窓口係員Ｍは、顧客応対テーブルＤを挟んで顧客Ｋと対面し、操作パネル１１８の所定操作、入金ボタン１１４及び出金ボタン１１５の押下の他、顧客Ｋから預かった紙幣Ｂの入金部１２０への投入や出金部１４０に出金された紙幣の顧客Ｋへの受渡を行う。以下、紙幣取扱装置１００の構成について詳述する。
【００１２】
図４は紙幣取扱装置１００の内部構成と紙幣搬送経路を概略的に示す断面図である。図示するように、紙幣取扱装置１００は、既述した入出金機構部１１６には、紙幣Ｂの入金を受け付ける入金部１２０と紙幣Ｂを出金する出金部１４０とを隣接配置して備え、金庫１１０の筐体部１１２には、紙幣識別部１７０と搬送機構部１８０と紙幣収納部２００とを収容して備える。こうして金庫１１０に収容された紙幣識別部１７０と紙幣収納部２００は、筐体部１１２により、入出金機構部１１６の入金部１２０と出金部１４０から区画され、筐体部１１２において、紙幣識別部１７０が紙幣収納部２００の上方側に位置する。
【００１３】
また図３に示すとおり、入金部１２０は、出金部１４０よりも紙幣識別部１７０側、即ち後面側に配置され、この入金部１２０と隣接配置された出金部１４０は、入金部１２０の側に壁部１４１を備える。この壁部１４１は、出金部１４０の内部を入金部１２０の側で覆い、その上端の基部１４１ｂに蓋体１４１ｃを隔てて備える。蓋体１４１ｃは、出金部１４０の開口上端を覆うよう開閉自在とされ、出金部１４０に搬送されてきた出金紙幣の飛び出しを防止する。壁部１４１は、入金部１２０の開口上端までしか延びておらず、蓋体１４１ｃにあってもその幅が狭くされている。よって、壁部１４１および蓋体１４１ｃは、顧客応対テーブルＤを隔てた顧客Ｋ（図２参照）が入金部１２０の側から出金部１４０を眺める際の視線を遮らない。また、蓋体１４１ｃが出金部１４０全体を覆う形状になっておらず、その幅が狭い、かつ、中央位置付近に設けられているため、窓口係員Ｍ（図２参照）の手の動線の妨げにならないことから入金部１２０への紙幣Ｂの投入の妨げにもならず操作性がよい。
【００１４】
紙幣識別部１７０は、搬送機構部１８０が形成する後述の第１主搬送経路１８３（図６参照）の一部経路を形成する。換言すれば、第１主搬送経路１８３は、紙幣識別部１７０を通過する。そして、この紙幣識別部１７０は、紙幣Ｂの金種種別の他、記番号、紙幣真偽、破損状況（リジェクト要否）等を、入出金の過程で第１主搬送経路１８３を搬送される紙幣Ｂについて鑑別する。紙幣識別部１７０による紙幣識別は、例えば、紙幣Ｂをスキャンして得られる画像データ、紙幣Ｂの表面の凹凸形状、磁気特性、紫外線などに対する光学特性など種々の情報を利用して行うことができる。紙幣識別部１７０の識別結果は、後述の制御部３００（図５参照）に出力され、紙幣搬送先のカセットの決定、リジェクト搬送等に用いられる。
【００１５】
搬送部に相当する搬送機構部１８０は、入金部１２０および出金部１４０から紙幣収納部２００に掛けて、紙幣入金経路１８０ＩＮと紙幣出金経路１８０ＯＵＴとを形成する。この両経路の詳細については後述するが、図４に示すように、紙幣入金経路１８０ＩＮは、入金部１２０から紙幣識別部１７０に到る上流側入金経路１８１を備える。紙幣出金経路１８０ＯＵＴは、紙幣識別部１７０から出金部１４０に到る下流側出金経路１８６を備える。これら経路を有する搬送機構部１８０は、上記の入出金経路にて入金部１２０と出金部１４０とを紙幣識別部１７０と紙幣収納部２００とに接続して、紙幣を搬送する。紙幣収納部２００は、紙幣収納カセット２０１〜２０５を備え、それぞれのカセットに後述するように紙幣Ｂを収納する。
【００１６】
次に、電気的構成について説明する。まず、図５は紙幣取扱装置１００の制御ブロックを示す説明図である。紙幣取扱装置１００は、電気的な機能ブロックとして、入金部１２０と、出金部１４０と、紙幣収納部２００の紙幣収納カセット２０１〜２０５と、紙幣識別部１７０と、操作パネル１１８と、入金ボタン１１４と、出金ボタン１１５と、搬送機構部１８０と、制御部３００とを備える。出金部１４０は、後述するように、シャッタ１５０を備える。搬送機構部１８０は、後述するように、カセットごとのゲート２０１ｂを初めとするゲート群と、紙幣搬送経路に複数設置した検知センサ１８８の検知センサ群と、紙幣搬送を担う複数の駆動モータ１８９の駆動モータ群とを備える。制御部３００は、主制御部３０１と、メモリ３０２と、操作端末Ｐと通信することができる上位通信部３０３とを有する。主制御部３０１は、主に制御用のマイクロプロセッサからなる。主制御部３０１は、入金部１２０や出金部１４０に含まれる紙幣送出・搬送に関与する駆動機器等の他、出金部１４０が備えるシャッタ１５０、搬送機構部１８０のゲート群、駆動モータ群を、紙幣の入出金搬送に伴い駆動制御する。検知センサ群に含まれる検知センサ１８８は、後述の紙幣入金経路１８０ＩＮや紙幣出金経路１８０ＯＵＴにて紙幣搬送状態を検知するほか、入金部１２０や出金部１４０における紙幣有無、紙幣収納カセット２０１〜２０５における紙幣収納枚数等を検知し、その検知信号を制御部３００に出力する。
【００１７】
次に、図６を用いて出金搬送処理について説明する。図５の操作端末Ｐから上位通信部３０３を通じて、出金命令を受けた制御部３００は駆動モータ群１８９を制御し、紙幣収納カセット２０１〜２０５から紙幣Ｂを出金部１４０へ、操作端末Ｐから指定された枚数分の紙幣収納カセット２０１〜２０５から紙幣Ｂを移動させる。一例として、出金紙幣リジェクト庫を紙幣収納カセット２０４に割り当てた場合の搬送経路を説明する。紙幣収納カセット２０１、２０２、２０３から繰り出された紙幣は、上流側出金経路１８５を通って紙幣識別部１７０で、正常券かリジェクト券かを判断する。正常券と判断された紙幣は、ゲート１６３を経由して下流側出金経路１８６を通って出金部１４０に搬送する。リジェクト券と判断された紙幣は、ゲート２０４ｂでカセット２０４の出金紙幣リジェクト庫に搬送する。よって、出金時にリジェクトが発生すると、出金部１４０への到達する紙幣は連続することなくまばらに到着する。また、リジェクト券を出金部１４０に搬送することもできる。その場合、操作端末Ｐから指定された枚数分の紙幣を紙幣収納カセット２０１〜２０５から出金部１４０へ搬送後、出金部１４０にある全ての紙幣、即ち正常券とリジェクト券を、出金紙幣リジェクト庫に搬送し、出金取引をやり直す。
【００１８】
次に、図７を用いて入金搬送処理について説明する。図７に示すように、紙幣入金経路１８０ＩＮは、入金部１２０から延びて筐体部１１２を経由し、紙幣識別部１７０に到る。その後、紙幣入金経路１８０ＩＮは、紙幣識別部１７０の経路下流の方向転換ローラー１８０ｒで折り返し、紙幣識別部１７０より下方側に位置する紙幣収納部２００の各カセットの並びに沿って紙幣収納カセット２０５まで延びる。こうした経路軌跡を有する紙幣入金経路１８０ＩＮは、入金部１２０から紙幣識別部１７０に到るまでを上流側入金経路１８１とし、当該経路より下流の経路を下流側入金経路１８２とする。搬送機構部１８０は、下流側入金経路１８２を、紙幣識別部１７０を通過して方向転換ローラー１８０ｒまで延びる第１主搬送経路１８３と、方向転換ローラー１８０ｒで折り返して水平方向に延びて紙幣収納部２００の紙幣収納カセット２０５に到る第２主搬送経路１８４とで、形成する。入金部１２０に投入された紙幣Ｂは、１枚ずつ分離され、搬送路へと繰り出される。搬送機構部１８０は、搬送路へ繰り出された紙幣Ｂを、上記した紙幣入金経路１８０ＩＮの経路に沿って入金搬送し、紙幣識別部１７０の識別結果に応じて紙幣収納カセット２０１〜２０５のいずれかに入金搬送する。紙幣識別部１７０でリジェクト券と判断された紙幣は、ゲート２０５ｂを経由して下流側出金経路１８６を通り、出金部１４０に搬送する。
【００１９】
次に、シャッタ１５０の動作について説明する。図４に示すように、出金部１４０は上方側にシャッタ１５０を備える。このシャッタ１５０は、閉状態の時は、主制御部３０１の制御により、矢印１５０ａの方向、即ち入金部１２０側にスライドして、出金部１４０の上方側全体を覆って紙幣Ｂの取り出し及び投入、手の挿入といった操作を制限する。また、シャッタ１５０は、開状態の時は、主制御部３０１の制御により、矢印１５０ｂの方向、即ち金庫扉１１３側にスライドして出金部１４０への操作を可能とする。
【００２０】
ここでは、図４に示すように、シャッタ１５０の形状を弧状にしているが、湾曲の無い形状でもよい。また、シャッタ１５０を金庫扉１１３側にスライドさせた状態を開状態としているが、シャッタ１５０を入金部１２０側や、装置の側面方向にスライドさせた状態を開状態としてもよい。
【００２１】
紙幣搬送中及び待機中は、シャッタ１５０を閉状態とすることで、出金取引中における紙幣の取り出しを制限できる。一方、入金取引では、リジェクトが発生した場合、紙幣搬送終了までは出金部１４０に搬送されたリジェクト紙幣を取り出すことができない。そこで、主制御部３０１は、入金取引では、リジェクト発生の時点でシャッタ１５０を開ける制御を行う。本実施例における入金取引の制御（第１の制御）フローを図８に示す。以降は、図８のフローを順に見ていくことにより、リジェクトが発生した時点でシャッタ１５０を開ける動作とその効果について説明する。
【００２２】
紙幣取扱装置１００が待機状態（Ｓ１１０１）になると、主制御部３０１が入金ボタン１１４の押下を監視する（Ｓ１１０２）。顧客による入金ボタン１１４の押下を契機に、主制御部３０１が駆動モータ群１８９を制御し、入金部１２０に置かれた紙幣の分離及び搬送を開始（Ｓ１１０３）する。紙幣搬送中は、主制御部３０１が紙幣識別部１７０の識別結果を見てリジェクトの発生を監視し、リジェクト券か否かを判定（Ｓ１１０４）する。搬送紙幣がリジェクト券と判定された場合は（Ｓ１１０４；Ｙｅｓ）、主制御部３０１がシャッタ１５０を制御し、シャッタ１５０が閉状態か否かを判定（Ｓ１１０５）し、閉状態であると判定した場合は（Ｓ１１０５；Ｙｅｓ）、シャッタ１５０を開ける（Ｓ１１０６）。主制御部３０１は、この監視を紙幣搬送終了と判定するまで（Ｓ１１０７；Ｙｅｓ）、即ち入金部１２０に投入された紙幣全てが紙幣収納部２００または出金部１４０に搬送されるまで行う（Ｓ１１０７；Ｎｏ）。主制御部３０１は、紙幣搬送終了後は、シャッタ１５０が開状態か否かを判定（Ｓ１１０８）する。主制御部３０１は、開状態であると判定した場合（Ｓ１１０８；Ｙｅｓ）、出金部１４０の紙幣の有無を判定（Ｓ１１０９）し、出金部１４０に搬送されたリジェクト紙幣が全て取り出されるのを待つ。主制御部３０１は、出金部１４０に紙幣が無くなったと判定した場合（Ｓ１１０９；Ｙｅｓ）、シャッタ１５０を閉じる（Ｓ１１１０）。その後、主制御部３０１は、取引を終了（Ｓ１１１１）する。
【００２３】
以上の動作により、入金リジェクトが発生した時、窓口係員Ｍや顧客Ｋは紙幣搬送終了を待たずに、即座にリジェクト紙幣を取り出して入金部１３０へ再投入できる。
【００２４】
ここでは、紙幣識別部１７０の識別結果によってリジェクトの発生及びシャッタ１５０を開けるタイミングを判断したが、入金取引中に出金部１４０へ紙幣が集積された時点でリジェクト発生と判断し、シャッタ１５０を開けることもできる。
【実施例２】
【００２５】
次に、他の実施例について説明する。実施例１で説明したシャッタ１５０の制御では、入金取引中のリジェクトに対するシャッタ１５０の開動作（Ｓ１１０６）で異常が発生した場合、入金搬送が完了していない状態、少なくとも、紙幣識別部１７０でリジェクト券と判断された紙幣が、出金部１４０、または下流側出金経路１８６、または下流側入金経路１８２にある状態で紙幣取扱装置１００が停止する。したがって、窓口係員Ｍや顧客Ｋは紙幣取扱装置１００の復旧を待つ必要がある。また、上記開動作で異常が発生した場合、入金取引中のリジェクト紙幣が出金部１４０手前の搬送路に残り、紙幣の計数誤りを生じる場合がある。そこで、入金取引では、紙幣の分離開始直前にシャッタ１５０を開ける。実施例２のハードウェアの構成は、実施例１と同じとする。実施例２における入金取引の制御（第２の制御）フローを図９に示す。以降は、図９のフローを順に見ていくことにより、紙幣の分離開始直前にシャッタ１５０を開ける動作とその効果について説明する。
【００２６】
紙幣取扱装置１００が待機状態（Ｓ１２０１）になると、主制御部３０１が入金ボタン１１４の押下を監視する（Ｓ１２０２）。顧客による入金ボタン１１４の押下を契機に、主制御部３０１がシャッタ１５０及び駆動モータ群１８９を制御し、シャッタ１５０を開け（Ｓ１２０３）、入金部１２０に置かれた紙幣の分離及び搬送を開始（Ｓ１２０４）する。主制御部３０１は、紙幣の搬送中は、シャッタ１５０は開状態を保持する。紙幣搬送終了（Ｓ１２０５；Ｙｅｓ）後は、主制御部３０１は、出金部１４０の紙幣の有無を判定（Ｓ１２０６）し、出金部１４０に搬送されたリジェクト紙幣が全て取り出されるのを待つ。主制御部３０１は、出金部１４０に紙幣が無くなったと判定した場合（Ｓ１２０６；Ｙｅｓ）、シャッタ１５０を閉じる（Ｓ１２０７）。その後、主制御部３０１は、取引を終了（Ｓ１２０８）する。
【００２７】
以上の動作により、実施例１と同様に、紙幣搬送終了を待たずに入金リジェクト紙幣を即時再投入できる。また、シャッタ１５０の開動作（Ｓ１２０３）において異常が発生し、紙幣取扱装置１００が停止しても、紙幣の分離及び搬送の開始前である。よって、窓口係員Ｍや顧客Ｋは入金部１２０にある紙幣を取り出して帰るか、別の紙幣取扱装置で入金取引を行うことができる。また、上記異常が発生した場合でも、紙幣の分離及び搬送の開始前にシャッタ１５０が開状態となっているため、シャッタ１５０の開動作の異常に伴って入金取引中のリジェクト紙幣が搬送路に残ることがなく、紙幣の計数誤りを生じる虞がなくなる。
【００２８】
ここでは、入金ボタン１１４の押下を監視することにより、紙幣の分離開始及びシャッタ１５０を開けるタイミングを判断したが、入金ボタン１１４を設けずに、図５の操作端末Ｐから上位通信部３０３を通じて制御部３００が入金命令を受けた時点で紙幣の分離を開始するものとし、その前にシャッタ１５０を開けることもできる。
【実施例３】
【００２９】
次に、更なる他の実施例について説明する。実施例１及び２では、シャッタ１５０は閉状態を基本とし、必要に応じて開ける。それに対し、本実施例では、シャッタ１５０は開状態を基本とする点が異なる。本実施例では、紙幣搬送中及び待機中はシャッタ１５０を開状態とし、出金取引では紙幣の分離開始直前にシャッタ１５０を閉める。実施例３のハードウェアの構成は、実施例１と同じとする。実施例３における出金取引の制御（第３の制御）フローを図１０に示す。以降は、図１０のフローを順に見ていくことにより、紙幣の分離開始直前にシャッタ１５０を閉める動作とその効果について説明する。
【００３０】
紙幣取扱装置１００が待機状態（Ｓ１３０１）になると、主制御部３０１が出金ボタン１１５の押下を監視する（Ｓ１３０２）。顧客による出金ボタン１１５の押下を契機に、主制御部３０１がシャッタ１５０及び駆動モータ群１８９を制御し、シャッタ１５０を閉め（Ｓ１３０３）、紙幣収納部２００から紙幣の分離及び搬送を開始（Ｓ１３０４）する。主制御部３０１は、紙幣の搬送中は、シャッタ１５０は閉状態を保持する。紙幣搬送終了（Ｓ１３０５；Ｙｅｓ）後は、主制御部３０１は、シャッタ１５０を開け（Ｓ１３０６）、出金部１４０から紙幣を取り出せる状態にする。その後、主制御部３０１は、取引を終了（Ｓ１３０８）する。
【００３１】
以上の動作により、出金取引中は、顧客操作による出金部１４０からの紙幣の取り出しを制限できる。また、入金取引では、シャッタ１５０が常に開状態であるため、リジェクト紙幣が出金部１４０に搬送された時点でリジェクト紙幣を取り出し、入金部１２０に再投入できる。
【００３２】
上記各実施例では、紙幣を投入する入金部と、紙幣を取り出す出金部と、を有し、かつそれらが互いに独立し、リジェクト紙幣を出金部に搬送する紙幣取扱装置において、出金部に対する顧客操作を許可あるいは制限する手段として、出金部に開閉するシャッタを設けて上述したような制御を実行している。したがって、紙幣搬送中及び待機中は出金部に搭載したシャッタを閉状態とすることで、取引途中における出金部への操作を制限でき、出金取引中に紙幣を取り出されることがなくなる。さらに、入金取引では、リジェクトが発生したタイミングでシャッタを開ける制御にしたので、入金取引においてリジェクト紙幣の取り出し及び再投入を即時行える利便性と、シャッタ搭載による出金部への操作の制限を両立できる。このように、入金リジェクト紙幣を即時再投入可能という従来の利便性はそのままに、出金取引中における紙幣の取り出しを制限でき、顧客操作型の運用が可能となる。すなわち、大量入金可能、入金リジェクト紙幣を即時再投入可能といった入出金取引における従来の利便性を保持しつつ、出金取引中の紙幣の取り出しを制限することができ、銀行の窓口業務用としても、ＡＴＭのように顧客が直接操作する形でも使用可能な紙幣取扱装置を提供することができる。
【００３３】
以上、図面を用いて詳細に説明したが、上述の種々の例に限定されるものではなく、その趣旨を逸脱しない範囲で、種々の変更が可能である。例えば、上記紙幣取扱装置１００では、図８に示した入金取引における第１の制御または図９に示した入金取引における第２の制御のいずれかを実行する前提で説明したが、これらの制御を状況に応じて選択可能な構成としてもよい。
【００３４】
具体的には、主制御部３０１は、操作パネル１１８から、図８に示す第１の制御または図９に示す第２の制御を実行するための選択を受け付け、当該選択に応じていずれかの制御を実行してもよい。このような構成とすることにより、例えば、入金紙幣の汚損や破損がある場合にはリジェクト紙幣が生じる可能性が高いため、上記シャッタ１５０の開動作で異常を発生させないように、窓口係員は図９の制御を選択して処理を実行し、また、入金紙幣が新札に近い状態である場合にはリジェクト紙幣が生じる可能性が低いため、窓口係員は図８の制御を選択して処理を実行する等、入金紙幣の状態に応じて相応しい処理を切り替えて選択することができる。
【符号の説明】
【００３５】
１００……紙幣取扱装置
１１０……金庫
１１２……筐体部
１１２ｈ…貫通孔
１１３……金庫扉
１１４……入金ボタン
１１５……出金ボタン
１１６……入出金機構部
１１８……操作パネル
１２０……入金部
１４０……出金部
１５０……シャッタ
１５０ａ…シャッタ閉方向
１５０ｂ…シャッタ開方向
３００……制御部
３０１……主制御部
３０２……メモリ
３０３……上位通信部
Ｂ…………紙幣
Ｍ…………窓口係員
Ｋ…………顧客
Ｄ…………顧客応対テーブル
Ｐ…………操作端末
【図１】
2019185200.tif 000003
【図２】
2019185200.tif 000004
【図３】
2019185200.tif 000005
【図４】
2019185200.tif 000006
【図５】
2019185200.tif 000007
【図６】
2019185200.tif 000008
【図７】
2019185200.tif 000009
【図８】
2019185200.tif 000010
【図９】
2019185200.tif 000011
【図１０】
2019185200.tif 000012